(57)【要約】【課題】プログラム登録における使用者のニーズに、より細かく的確に応え、プログラムが呼び出された際の誤操作発生を防ぐ。【解決手段】表示入力装置は、表示部と、表示部での表示を制御する表示制御部と、登録された設定項目の組み合わせであり、呼び出すことにより予め選択、登録された設定項目を設定するための画面を表示部に表示させるプログラムを記憶する記憶部と、プログラムを作成し、登録する際、プログラムに含める設定項目を選択する入力を受け付けるとともに、プログラムが呼び出されたとき、プログラムに含められる記設定項目の表示を行うか否かの入力を受け付ける入力部とを有する。【選択図】図９
2011170182.tif 000002
【特許請求の範囲】
【請求項１】
実行可能な複数種の機能を設定項目として表示する表示部と、
予め複数の設定項目の中から選択され、登録された前記設定項目の組み合わせであり、呼び出すことにより予め選択、登録された前記設定項目を設定するための画面を前記表示部に表示させるプログラムを記憶する記憶部と、
前記プログラムを作成し、登録する際、前記プログラムに含める前記設定項目を選択する入力を受け付けるとともに、前記プログラムが呼び出されたとき、前記プログラムに含められる各前記設定項目の表示を行うか否かの入力を受け付ける入力部と、
表示部での表示を制御するとともに、前記入力部になされた入力を認識する表示制御部と、を有し、
前記記憶部は、前記プログラムの内容として、前記プログラムが呼び出された際に、前記プログラムに含められた各前記設定項目について表示を行うか否かを記憶し、
前記表示制御部は、前記表示部に、前記プログラムが呼び出された際に、非表示と定められた前記設定項目については表示を行わせないことを特徴とする表示入力装置。
【請求項２】
前記入力部は、前記プログラムを作成し、登録する際、前記プログラムに含めると選択された前記設定項目内のデフォルトの設定値を設定する入力を受け付けるとともに、前記プログラムが呼び出されたとき、前記プログラムに含められる前記設定項目のデフォルトの前記設定値の変更を認めるか否かの入力を受け付け、
前記記憶部は、前記プログラムの内容として、前記プログラムが呼び出されたとき、前記プログラムに含められた前記設定項目のデフォルトの前記設定値の変更を認めるか否かを記憶し、
前記表示制御部は、前記プログラムが呼び出された際、変更を認めないとされたデフォルトの前記設定値を変更する入力を受け付けないことを特徴とする請求項１記載の表示入力装置。
【請求項３】
前記表示制御部は、前記プログラムが呼び出された際、各前記設定項目の設定画面で、変更を認めないとされた前記設定値以外の前記設定値を、前記表示部に選択不可状態として表示させ、又は、前記表示部に表示させないことを特徴とする請求項２記載の表示入力装置。
【請求項４】
前記入力部は、前記プログラムを作成し、登録する際、前記プログラムが呼び出されたとき、前記プログラムに含めると選択された前記設定項目内の複数の前記設定値のうち、選択可能な前記設定値を定める入力を受け付け、
前記記憶部は、前記プログラムの内容として、前記プログラムが呼び出されたとき、前記プログラムに含められた前記設定項目のうち、選択可能な前記設定値を記憶し、
前記表示制御部は、前記プログラムが呼び出された際に、選択可能とされた前記設定値についてのみ設定する入力を受け付けることを特徴とする請求項１乃至３の何れか１項に記載の表示入力装置。
【請求項５】
前記表示制御部は、前記プログラムが呼び出された際、各前記設定項目の設定画面で、選択可能と定められた前記設定値以外の前記設定値を選択不可状態として前記表示部に表示させ、又は、選択可能と定められた前記設定値以外の前記設定値を前記表示部に表示させないことを特徴とする請求項４記載の表示入力装置。
【請求項６】
前記表示部は、前記プログラムが呼び出された際、前記プログラムに含められた前記各設定項目を対話型で順次表示するウィザード表示形式、前記プログラムに含められた前記各設定項目を並列させて一覧表示する一覧表示形式、又は、前記プログラムに含められた前記各設定項目を示す画像を表示するメニュー表示形式の何れかの表示形式で表示することを特徴とする請求項１乃至５の何れか１項に記載の表示入力装置。
【請求項７】
前記入力部は、前記プログラムを作成し、登録する際、前記ウィザード表示形式、前記一覧表示形式、前記メニュー表示形式のうちの少なくとも２つ以上の中から、前記プログラムが呼び出されたときの表示形式を選択する入力を受け付け、
前記記憶部は、前記プログラムの内容として、前記プログラムが呼び出された際の表示形式を記憶し、
前記表示制御部は、前記プログラムが呼び出された際、前記表示部に、選択された表示形式で前記プログラムを表示させることを特徴とする請求項１乃至６のいずれか１項に記載の表示入力装置。
【請求項８】
前記請求項１乃至７の何れか１項に記載の表示入力装置を備えることを特徴とする画像形成装置。
【発明の詳細な説明】
【技術分野】
【０００１】
本発明は、表示部と、タッチパネル等の入力部を有する表示入力装置、及び、これを備えた複写機、複合機、プリンタ、ＦＡＸ装置等の画像形成装置に関する。
【背景技術】
【０００２】
例えば、複写機、複合機等の画像形成装置には、多数の機能が搭載される（例えば、拡大縮小、集約印刷、両面印刷等）。多数の機能のうち、設定したい機能を簡易に選び、設定を行えるように、例えば、液晶表示部やタッチパネルを備えた画面付きの表示入力装置が設けられることもある。更に、設定を簡易に行えるように、よく使用する複数の機能とその設定値をプログラムとして登録できるようにすることもある。使用者は、プログラムを呼び出すキーのワンタッチで、多数の機能について設定された状態にできる。例えば、特許文献１にプログラム機能を搭載した画像形成装置が記載されている。
【０００３】
具体的に、特許文献１記載の画像形成装置は、用紙サイズ等の各種コピーモードを入力するコピーモード入力設定手段を備え、入力設定されたコピーモードでコピー動作可能な多モード型であり、コピーモード入力設定手段によって設定されたコピーモードの呼び出し及び登録の２つの機能を有するコピーモード呼び出し／登録手段を備え、かつ、画像形成装置の状態により、プログラムの呼び出しと登録を切り替える制御手段を備える。これにより、１度のキー操作で、コピーモードの呼び出し及び登録をしようとする（特許文献１：請求項１、段落［００５８］、図９等参照）。
【先行技術文献】
【特許文献】
【０００４】
【特許文献１】特開平１１−０２４５１１号公報
【発明の概要】
【発明が解決しようとする課題】
【０００５】
一般に、表示入力装置には、機能設定のため多数の設定項目が表示される。使用者は設定項目を１又は複数選択し、設定値を設定する。そして、特許文献１に示されるように、プログラム登録では、コピーを行う際になされた設定をプログラムとして登録することがある。しかし、プログラムの内容で常に処理がなされるとは限らず、使用者は、プログラムの内容を少し、又は、大幅に変えて処理を行いたい場合がある、この場合、使用者は、通常通り設定項目の選択と設定値の設定を行わなければならない。又、プログラム登録した者以外の者は、どのような設定項目が選択され、設定値が設定されているか、分かりづらい。このように、従来、プログラムを呼び出した際の操作性の点で問題がある。
【０００６】
又、特許文献１記載の発明のように、登録されたプログラムを呼び出しても、設定項目の追加や削除及び設定項目内の設定値の変更を無制限に行える。そのため、設定項目の選択解除や定められた設定値の変更、不必要な設定項目の追加選択等、プログラムの登録者が希望しない設定項目の選択や設定値の設定等、プログラムの登録者にとっての誤操作がなされる場合があるという問題がある。例えば、資源の無駄を防ぐため、社内用の資料用の複写には集約機能（各ページを縮小して複数ページ分の原稿を１ページ内に含める）の使用が義務づけられている場合、集約を外す誤操作がなされる場合がある。又、送信ミスを防ぐため、ＦＡＸ等のデータ送信の際、送信先が固定されていても使用者は、設定値としての固定された送信先の変更の誤操作をしてしまう場合もある。
【０００７】
本発明は、プログラムを登録するとき、設定項目の表示、非表示等、詳細な点までプログラムとして設定できるようにし、プログラム登録における使用者のニーズに、より細かく的確に応え、プログラムが呼び出された際の誤操作発生を防ぐことを課題とする。
【課題を解決するための手段】
【０００８】
上記課題解決のため請求項１に係る表示入力装置は、実行可能な複数種の機能を設定項目として表示する表示部と、予め複数の設定項目の中から選択され、登録された前記設定項目の組み合わせであり、呼び出すことにより予め選択、登録された前記設定項目を設定するための画面を前記表示部に表示させるプログラムを記憶する記憶部と、前記プログラムを作成し、登録する際、前記プログラムに含める前記設定項目を選択する入力を受け付けるとともに、前記プログラムが呼び出されたとき、前記プログラムに含められる各前記設定項目の表示を行うか否かの入力を受け付ける入力部と、表示部での表示を制御するとともに、前記入力部になされた入力を認識する表示制御部と、を有し、前記記憶部は、前記プログラムの内容として、前記プログラムが呼び出された際に、前記プログラムに含められた各前記設定項目について表示を行うか否かを記憶し、前記表示制御部は、前記表示部に、前記プログラムが呼び出された際に、非表示と定められた前記設定項目については表示を行わせないこととした。
【０００９】
この構成によれば、プログラムを作成し、登録する際、プログラムが呼び出されたときにプログラムに含められる各設定項目の表示を行うか否かの入力を行うことができる。これにより、プログラムが呼び出された際、設定項目の選択を外せないようにすることができる。従って、プログラムの作成者のニーズに、より細かく的確に応えることができる。例えば、画像形成装置の場合、必ず、資源節約のため集約印刷が行われるようにしたり、誤送信防止のため送信先を変更できなくしたりする等、プログラムが呼び出された際、使用者による各設定項目についての誤操作発生を防ぐことができる。
【００１０】
又、請求項２に係る発明は、請求項１の発明において、前記入力部は、前記プログラムを作成し、登録する際、前記プログラムに含めると選択された前記設定項目内のデフォルトの設定値を設定する入力を受け付けるとともに、前記プログラムが呼び出されたとき、前記プログラムに含められる前記設定項目のデフォルトの前記設定値の変更を認めるか否かの入力を受け付け、前記記憶部は、前記プログラムの内容として、前記プログラムが呼び出されたとき、前記プログラムに含められた前記設定項目のデフォルトの前記設定値の変更を認めるか否かを記憶し、前記表示制御部は前記プログラムが呼び出された際、変更を認めないとされたデフォルトの前記設定値を変更する入力を受け付けないこととした。
【００１１】
この構成によれば、プログラムを作成し、登録する際、プログラムが呼び出されたときにプログラムに含められる設定項目のデフォルトの設定値の変更を認めるか否かを設定することができる。これにより、変更できる設定値、変更できない設定値の差を設けつつ、プログラムを作成、登録することができる。従って、プログラム登録における使用者のニーズに、より細かく的確に応えることができる。又、例えば、画像形成装置の場合、必ず集約印刷（４ｉｎ１や２ｉｎ１等）が行われるようにしたり、誤送信防止のため送信先を変更できなくしたりする等、プログラムが呼び出された際、使用者による設定値に対する誤操作を防ぐことができる。
【００１２】
又、請求項３に係る発明は、請求項２の発明において、前記表示制御部は、前記プログラムが呼び出された際、各前記設定項目の設定画面で、変更を認めないとされた前記設定値以外の前記設定値を、前記表示部に選択不可状態として表示させ、又は、前記表示部に表示させないこととした。
【００１３】
この構成によれば、プログラムが呼び出された際、各設定項目の設定画面で、変更を認めないとされた前記設定値以外の設定値は、選択不可状態として表示され、又は、変表示されない。これにより、使用者は、設定値の変更ができないことを容易に認識することができ、プログラム作成者の意図を容易に把握することができる。従って、誤操作の発生を防ぐことができる。
【００１４】
又、請求項４に係る発明は、前記入力部は、前記プログラムを作成し、登録する際、前記プログラムが呼び出されたとき、前記プログラムに含めると選択された前記設定項目内の複数の前記設定値のうち、選択可能な前記設定値を定める入力を受け付け、前記記憶部は、前記プログラムの内容として、前記プログラムが呼び出されたとき、前記プログラムに含められた前記設定項目のうち、選択可能な前記設定値を記憶し、前記表示制御部は、前記プログラムが呼び出された際に、選択可能とされた前記設定値についてのみ設定する入力を受け付けることとした。
【００１５】
この構成によれば、プログラムを作成し、登録する際、プログラムが呼び出されたときに、設定項目内の複数の設定値のうち、選択可能な設定値を定める入力を受け付ける。これにより、変更できる設定値、変更できない設定値の差を設け、かつ、選べる設定値に制限をかけつつプログラムを作成、登録することができる。従って、プログラム登録における使用者のニーズに、より細かく的確に応えることができる。例えば、画像形成装置の場合、集約印刷をしない旨の設定値は設定不可能として、必ず、集約印刷が行われるようにすることや、誤送信防止のため送信先を必ず入力するようにする等、プログラムが呼び出された際、使用者による各設定項目内の設定値についての誤操作を防ぐことができる。
【００１６】
又、請求項５に係る発明は、請求項４の発明において、前記表示制御部は、前記プログラムが呼び出された際、各前記設定項目の設定画面で、選択可能と定められた前記設定値以外の前記設定値を選択不可状態として前記表示部に表示させ、又は、選択可能と定められた前記設定値以外の前記設定値を前記表示部に表示させないこととした。
【００１７】
この構成によれば、プログラムが呼び出された際、選択可能と定められた設定値以外の設定値は、選択不可状態として表示され、又は、表示されない。これにより、使用者は、変更できる設定値が限られていることを容易に認識することができ、プログラム作成者の意図を容易に把握することができる。従って、誤操作の発生を防ぐことができる。
【００１８】
又、請求項６に係る発明は、請求項１乃至５の発明において、前記表示部は、前記プログラムが呼び出された際、前記プログラムに含められた前記各設定項目を対話型で順次表示するウィザード表示形式、前記プログラムに含められた前記各設定項目を並列させて一覧表示する一覧表示形式、又は、前記プログラムに含められた前記各設定項目を示す画像を表示するメニュー表示形式の何れかの表示形式で表示することとした。
【００１９】
この構成によれば、プログラムが呼び出された際、プログラムに含められた各設定項目は、ウィザード表示形式、一覧表示形式、メニュー形式表示の何れかの表示形式で表示される。これにより、プログラムの呼出によって、プログラム作成者のニーズを細かく反映しつつ、設定可能な設定項目や設定値を限定しつつ、設定が行われる。従って、プログラムの使用者は、迷うことなく各設定項目や設定値を設定することができる。
【００２０】
又、請求項７に係る発明は、請求項１乃至６の発明において、前記入力部は、前記プログラムを作成し、登録する際、前記ウィザード表示形式、前記一覧表示形式、前記メニュー表示形式のうちの少なくとも２つ以上の中から、前記プログラムが呼び出されたときの表示形式を選択する入力を受け付け、前記記憶部は、前記プログラムの内容として、前記プログラムが呼び出された際の表示形式を記憶し、前記表示制御部は、前記プログラムが呼び出された際、前記表示部に、選択された表示形式で前記プログラムを表示させることとした。
【００２１】
この構成によれば、プログラムを作成し、登録する際、ウィザード表示形式、一覧表示形式、メニュー表示形式のうちの少なくとも２つ以上の中から、プログラムが呼び出されたときの表示形式を選択することができる。これにより、任意の形式で、プログラムが呼び出された際の表示が行われる。
【００２２】
又、請求項８に係る画像形成装置は、請求項１乃至７の何れか１項に記載の表示入力装置を備えることとした。
【００２３】
この構成によれば、画像形成装置は、本発明の表示入力装置を備える。これにより、プログラムの作成者のニーズに、より細かく的確に応えたプログラムの作成を行うことができる。又、プログラムの使用者の誤操作を減らすこともできる。従って、利便性、操作性の高いユーザインターフェイス（表示入力装置）を備えた画像形成装置を提供することができる。
【発明の効果】
【００２４】
上述したように、本発明の表示入力装置を用いることで、使用者のニーズにより細かく的確に応えたプログラムを作成、登録することができる。又、プログラムが呼び出された際、予め設定可能な設定項目や設定値を定めることができるので、プログラムの作成者が意図しない、プログラムの使用者の誤操作を防ぐことができる。
【図面の簡単な説明】
【００２５】
【図１】実施形態に係る複合機の一例を示す正面模型的断面図である。
【図２】実施形態に係る後処理装置の一例を示す正面模型的断面図である。
【図３】実施形態に係る操作パネルの一例を示す平面図である。
【図４】実施形態に係る複合機のハードウェア構成の一例を示すブロック図である。
【図５】実施形態に係るワークフローを選ぶ際の呼出画面の一例を示す説明図である。
【図６】ワークフローをウィザード形式で表示した際の流れの一例を示す説明図である。
【図７】ワークフローをメニュー形式で表示した際のメニュー画面の一例を示す説明図である。
【図８】実施形態に係る複合機でのワークフローの作成、登録の流れの一例を示すフローチャートである。
【図９】コピーに関するワークフロー作成における設定項目の選択画面の一例を示す説明図である。
【図１０】送信に関するワークフロー作成における設定項目の選択画面の一例を示す説明図である。
【図１１】コピーに関するワークフロー作成での設定値の設定画面の一例を示す説明図である。
【図１２】送信に関するワークフロー作成における設定値の設定画面の一例を示す説明図である。
【図１３】作成されたワークフローの名称入力画面の一例を示す説明図である。
【図１４】ワークフローを呼び出す際の表示形式を定めるための表示形式決定画面の一例を示す説明図である。
【図１５】ワークフローでの設定項目の表示や設定値に関して定めるための決定画面の一例を示す説明図である。
【図１６】ワークフローでの設定項目の表示や設定値に関して定めるための決定画面の一例を示す説明図である。
【図１７】ワークフローでの設定項目の表示や設定値に関して定めるための決定画面の一例を示す説明図である。
【図１８】ワークフローでの設定項目の表示や設定値に関して定めるための決定画面の一例を示す説明図である。
【図１９】実施形態に係る複合機でのメニュー表示形式でのワークフロー呼出時の流れの一例を示すフローチャートである。
【図２０】実施形態に係る複合機でのウィザード表示形式でのワークフロー呼出時の流れの一例を示すフローチャートである。
【図２１】実施形態に係る複合機での一覧表示形式でのワークフロー呼出時の流れの一例を示すフローチャートである。
【発明を実施するための形態】
【００２６】
以下、本発明の実施形態を図１〜図２１を用いて説明する。ここで、本発明は、各種表示入力装置に適用可能であるが、操作パネル１（表示入力装置に相当）を例に挙げ、複合機１００（画像形成装置に相当）に取り付けられた場合を例に挙げて説明する。但し、本実施の形態に記載されている構成、配置等の各要素は、発明の範囲を限定するものではなく単なる説明例にすぎない。
【００２７】
（画像形成装置の概略）
まず、図１と図２を用いて、本発明の実施形態に係る複合機１００の概略を説明する。図１は本発明の実施形態に係る複合機１００の一例を示す正面模型的断面図である。図２は、本発明の実施形態に係る後処理装置２の一例を示す正面模型的断面図である。
【００２８】
図２に示すように、本実施形態の複合機１００（画像形成装置に相当）は、左側面に取り付けられたオプション装置としての後処理装置２を含む。後処理装置２は、複合機１００が印刷した用紙を取り込み、ステープル処理等の各種処理を行う。又、複合機１００の正面前方には、複合機１００に関して各種設定を行うための操作パネル１が設けられる（詳細は後述）。
【００２９】
図１に示すように、本実施形態の複合機１００は、上部に、画像読取部３と原稿搬送装置４が設けられる。複合機１００は、本体内部に、給紙部５ａ、搬送路５ｂ、画像形成部６、中間転写部７ａ、定着部７ｂ、排出搬送部８ａ、両面搬送路８ｂ等を備える。
【００３０】
原稿搬送装置４は、読み取る原稿を載置する原稿トレイ４１を有する。そして、原稿搬送装置４は、原稿トレイ４１から原稿を１枚ずつ、自動的に連続して読取位置（送り読取用コンタクトガラス３１）に搬送する。又、原稿搬送装置４は、図１の紙面奥側を支点として画像読取部３に上下方向に開閉自在に取り付けられ、画像読取部３のコンタクトガラス（送り読取用コンタクトガラス３１及び載置読取用コンタクトガラス３２）を上方から押さえるカバーとして機能する。
【００３１】
次に、画像読取部３は、図１に示すように、上面に送り読取用コンタクトガラス３１と、書籍等の原稿を１枚ずつ読み取る際に原稿を載置する載置読取用コンタクトガラス３２が配される。画像読取部３内には、ランプ、ミラー、レンズ、イメージセンサ等（不図示）が配される。イメージセンサは、送り読取用コンタクトガラス３１を通過する原稿、あるいは、載置読取用コンタクトガラス３２に載置された原稿の反射光を元に、原稿を読み取る。そして、イメージセンサは、反射光を画像濃度に応じたアナログの電気信号に変換し、その後、量子化を行い、原稿の画像データが得られる。尚、本実施形態の画像読取部３は、カラーでも読み取り可能であり、白黒でも読み取り可能である。
【００３２】
複合機１００本体内の複数の給紙部５ａは、それぞれ、各サイズ（例えば、Ａ４、Ｂ４等のＡ型、Ｂ型用紙等）、各種用紙（例えば、コピー用紙、再生紙、厚紙、ＯＨＰシート等）を複数枚収容する。各給紙部５ａは、それぞれ回転駆動する給紙ローラ５１を備え、印刷時、１枚ずつ搬送路５ｂに用紙を送り込む。
【００３３】
搬送路５ｂは、給紙部５ａから画像形成部６まで、装置内で用紙を搬送する通路である。そして、搬送路５ｂには、用紙の案内のためのガイド板や、用紙搬送時に回転駆動する搬送ローラ対５２（図３おいて、上方から５２Ａ、５２Ｂ、５２Ｃの計３つ）や、搬送される用紙を画像形成部６の手前で待機させ、形成されたトナー像の転写タイミングに合わせ用紙を送り出すレジストローラ対５３等が設けられる。
【００３４】
画像形成部６は、複数の画像形成ユニット６０（ブラック用の６０Ｂｋ、イエロー用の６０Ｙ、シアン用の６０Ｃ、マゼンタ用の６０Ｍ）と露光装置６１を含む。露光装置６１は、画像読取部３で読み取られた画像データや後述の記憶装置９２に記憶される画像データ等に基づき、レーザ光を点消灯しつつ出力し、各感光体ドラムを走査露光する。画像形成ユニット６０は、回転駆動可能に支持された感光体ドラムや、感光体ドラムの周囲に配設された帯電装置、現像装置、清掃装置等を備える。そして、各画像形成ユニット６０と露光装置６１によって、感光体ドラムの周面上にトナー像が形成される。
【００３５】
中間転写部７ａは、各画像形成ユニット６０からトナー像の１次転写を受け、シートに２次転写を行う。中間転写部７ａは、各１次転写ローラ７１Ｂｋ〜７１Ｍ、中間転写ベルト７２、駆動ローラ７３、複数の従動ローラ７４、２次転写ローラ７５、ベルト清掃装置７６等で構成される。各１次転写ローラ７１Ｂｋ〜７１Ｍは、対応する感光体ドラムと無端状の中間転写ベルト７２を挟み込む。各１次転写ローラ７１Ｂｋ〜７１Ｍには、転写用電圧が印加され、トナー像は中間転写ベルト７２に転写される。
【００３６】
中間転写ベルト７２は、駆動ローラ７３等に張架され、モータ等の駆動機構（不図示）に接続される駆動ローラ７３の回転駆動により周回する。中間転写ベルト７２は、又、駆動ローラ７３は、２次転写ローラ７５とで中間転写ベルト７２を挟み込む。各画像形成ユニット６０で形成されたトナー像（ブラック、イエロー、シアン、マゼンタの各色）は、順次、ずれなく重畳して中間転写ベルト７２に１次転写された後、所定の電圧を印加された２次転写ローラ７５により、シートに転写される。
【００３７】
定着部７ｂは、用紙に転写されたトナー像を定着させる。定着部７ｂは、主として、発熱体を内蔵する加熱ローラ７７とこれに圧接する加圧ローラ７８で構成される。そして、用紙が、加熱ローラ７７と加圧ローラ７８のニップを通過すると、トナーが溶融・加熱され、トナー像が用紙に定着する。定着部７ｂから排出された用紙は、排出トレイ８１又は後処理装置２方向に送られる。
【００３８】
排出搬送部８ａは、印刷済の用紙を後処理装置２方向、排出トレイ８１方向、両面搬送路８ｂ方向への用紙搬送方向の仕分る。そして、排出搬送部８ａには、用紙を後処理装置２に向けて送り出す排出ローラ対８２と、排出トレイ８１方向に送り出す、或いは、両面印刷のため逆回転しスイッチバックを行う排出ローラ対８３を有する。各排出ローラ対８２、８３は、回転駆動する。又、排出搬送部８ａは、用紙の搬送方向を切り替えるため、例えば、２つの切替弁８４、８５を有する。各切替弁８４、８５は回動し、操作パネル１等で指定された排出先に導き、或いは、両面印刷の際、片面印刷済みの用紙を両面搬送路８ｂに導く。
【００３９】
両面搬送路８ｂは、定着部７ｂの下流側と、レジストローラ対５３の上流側とを結ぶ。両面搬送路８ｂには、両面印刷のため、回転駆動する複数の両面搬送ローラ対８６（８６Ａ、８６Ｂ、８６Ｃの計３つ）が設けられ、片面印刷済の用紙が搬送される。
【００４０】
一方、図２に示すように、後処理装置２内には、用紙束を一時的に蓄えるスタック部２１、穿孔処理を行うパンチ部２２、スタック部２１の用紙束に対し、ステープル処理を行うステープル部２３（スタック方向から見て用紙先端側をステープル）、ステープル部２４（用紙後端側をステープル）、中折ユニット２５などが備えられる。スタック部２１は複数枚の用紙を積み重ねて束とする処理を行う。中折ユニット２５は、中綴じステープル部２５１を含み、中綴じステープル部２５１による処理により中央綴じされた用紙束を中央でステープルに沿って折り曲げる。
【００４１】
具体的に、後処理装置２での各処理を説明する。まず、複合機１００から後処理装置２に向けて排出された印刷済用紙は、後処理装置２の側面に設けられた搬入口２６を通って後処理装置２内に搬入される。又、搬入口２６の下流には、パンチ部２２が設けられる。パンチ部２２は、用紙に穿孔処理を行う。そして、パンチ部２２の下流には、回転駆動して用紙を搬送する搬送ローラ対２７Ａ、２７Ｂと、用紙の搬送先にあわせて回動する案内爪２８が設けられる。操作パネル１への入力等で、ステープル処理等を行う選択されている場合、案内爪２８は用紙を案内爪２８下方のスタック部２１に送り込むように回動する。その結果、用紙は、スタック部２１に向けて搬送される。尚、折曲処理を行う場合は、用紙は、スタック部２１でスタックされた後、更に下方の中折ユニット２５に向けて搬送される。
【００４２】
一方、穿孔処理やステープル処理等を行う選択がなされていない場合（後処理装置２で何ら処理を行わせない場合）や、操作パネル１で排出先を副排出トレイ２１０に設定した場合など、案内爪２８は、例えば、用紙を案内爪２８の上方の排出ローラ対２９に送り込むように回動する。その結果、用紙は、排出ローラ対２９から、副排出トレイ２１０に排出される。
【００４３】
スタック部２１はカバートレイ２１Ａ及びスタックトレイ２１Ｂからなる。そして、搬送されてきた用紙は、カバートレイ２１Ａとスタックトレイ２１Ｂとの間に通される。用紙はスタックトレイ２１Ｂの上面に積み重ねられる。カバートレイ２１Ａは、用紙束を上方から押さえるカバーとして機能する。スタックトレイ２１Ｂには、搬送されてきた用紙を受け止めるストッパ２１Ｃが設けられる。ストッパ２１Ｃは上下動し、スタックされた用紙束を上方、又は、下方に搬送する。
【００４４】
そして、スタック部２１に付随して、用紙の先端側（スタックされた用紙の下方側）をステープルするステープル部２３と、用紙の後端側（スタックされた用紙の上方側）をステープルするステープル部２４が設けられる。各ステープル部２３、２４は、例えば、用紙束の先端の一方の隅を斜め４５°に１箇所綴じる斜め綴じなどを行う。そして、スタック部２１は、ステープル処理等が施された用紙束を上方へと搬送し、主排出トレイ２１１に排出する。
【００４５】
スタック部２１の下方に、中折ユニット２５が配置される。操作パネル１への入力等で、折曲処理が選択されている場合、スタック部２１で一旦スタックされた用紙束は、中折ユニット２５に向けて搬送される。中綴じステープル部２５１は、用紙束の長手方向の中央を短手方向に沿って、例えば、２箇所ステープルで綴じる中央綴じ等を行える。中央綴じされた用紙束は、中折ユニット２５の突出棒２５２で折り曲げられた後、ブックレットトレイ２５３に排出される。
【００４６】
（操作パネル１）
次に、図３を用いて、本発明の実施形態に係る操作パネル１の一例を説明する。図３は本発明の実施形態に係る操作パネル１の一例を示す平面図である。
【００４７】
操作パネル１は、図１及び図３に示すように、複合機１００の正面上方に設けられ、複合機１００や後処理装置２の設定や動作指示を与えるためのメニューやキー（図５等参照）や複合機１００等の状態メッセージ等の各種画像、画面を表示する液晶表示部１１（表示部に相当）を有する。使用者は、液晶表示部１１に表示されたキーを押下して、複合機１００のコピーにおける各種設定や、後処理装置２の設定や動作指示を行える。例えば、使用者は、後処理装置２でステープル処理を行う指示や用紙の排出先を設定入力できる。
【００４８】
又、液晶表示部１１の上面に透明なタッチパネル部１２（入力部に相当）が設けられ、タッチパネル部１２は、使用者が液晶表示部１１に押下した部分の位置、座標を検出するためのものである。このタッチパネル部１２を用いた検出座標と、液晶表示部１１に示される各種キーの位置、座標を比較し、使用者が押下して選択したキーが特定される。尚、タッチパネル部１２としては、抵抗膜方式、表面弾性波方式、赤外線方式、静電容量方式等、各方式のものを採用でき特に制限はない。
【００４９】
又、操作パネル１には、以下のようなハードとしてのキー（ボタン）が設けられる。例えば、数字入力用のテンキー部１３（入力部に相当）や、各種設定後、コピー等の処理開始指示用のスタートキー１４（入力部に相当）等が設けられる。又、コピー機能を利用する際に押下されるコピーキー１５（入力部に相当）、スキャナ機能、ＦＡＸ機能を利用する際に押下される送信キー１６（入力部に相当）等が設けられる。又、ワークフローの作成、登録やワークフローの呼び出しの際に押下されるワークフローキー１７（入力部に相当）も設けられる（詳細は後述）。このように、操作パネル１には、タッチパネル部１２や各種ハードキーが備えられ、複合機１００の各機能について、各種設定、モード選択等を行う入力部として機能する。
【００５０】
（複合機１００等のハードウェア構成）
次に、図４を用いて、本発明の実施形態に係る複合機１００等のハードウェア構成の一例を説明する。図４は、本発明の実施形態に係る複合機１００等のハードウェア構成の一例を示すブロック図である。
【００５１】
まず、複合機１００の本体側から説明する。複合機１００本体内には、本体制御部９が設けられる。本体制御部９は、例えば、操作パネル１、原稿搬送装置４、画像読取部３、給紙部５ａ、搬送路５ｂ、画像形成部６、定着部７ｂ、排出搬送部８ａ等と接続され、これらの制御を行う。
【００５２】
本体制御部９は、例えば、ＣＰＵ９１等の素子を含む。ＣＰＵ９１は記憶装置９２（記憶部に相当）に格納され、展開される制御プログラムに基づき演算等を行い、複合機１００の各部を制御する。尚、本体制御部９は、全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの本体制御部９をまとめた形態を示し、説明する。
【００５３】
記憶装置９２は、本体制御部９と接続される。記憶装置９２は、ＲＯＭ、ＲＡＭ、ＨＤＤ等の不揮発性と揮発性の記憶装置９２を組み合わせて構成される。記憶装置９２は、複合機１００の制御用プログラム、制御用データ、設定データ、画像データ等の各種データを記憶できる。又、特に、本発明に関し、記憶装置９２は、作成したワークフロー（プログラムに相当）を記憶できる。尚、ワークフローとは、予め複数の設定項目の中から選択され、登録された設定項目の組み合わせであり、呼び出すことにより予め選択、登録された設定項目を設定するための画面を表示部に表示させるプログラムである。
【００５４】
そして、本体制御部９は、各種コネクタ、ソケットやＦＡＸモデム等を備えたインターフェイス部（以下、Ｉ／Ｆ部９３）と接続される。Ｉ／Ｆ部９３はネットワークや公衆回線等により複数の外部のコンピュータ２００（例えば、パーソナルコンピュータ）や相手方ＦＡＸ装置３００（図７では、いずれも便宜上１つのみ図示）と接続される。例えば、画像読取部３で得られた画像データを画像データを記憶装置９２に記憶させることや、外部のコンピュータ２００や相手方ＦＡＸ装置３００に送信することができる（スキャナ機能、ＦＡＸ機能）。又、外部のコンピュータ２００や相手方ＦＡＸ装置３００から送信され、複合機１００に入力される画像データに基づき印刷、ＦＡＸ送信等を行うこともできる（プリンタ機能、ＦＡＸ機能）。
【００５５】
又、本体制御部９は、操作パネル１になされた入力を認識し、使用者の設定にあわせてコピー等が行われるように複合機１００を制御する。操作パネル１で、後処理装置２を利用してステープルを行う設定や、副排出トレイ２１０に排出させる設定がなされると、例えば、本体制御部９は、排出搬送部８ａを制御し、印刷済用紙が後処理装置２に向けて搬送されるように、切替弁８４、８５を回動させる。又、例えば、操作パネル１で、複合機１００の胴内の排出トレイ８１に排出を行う設定がなされると、本体制御部９は、排出搬送部８ａを制御し、印刷済用紙が胴内の排出トレイ８１に搬送されるように、切替弁８４、８５を回動させる。
【００５６】
又、例えば、本体制御部９には、画像読取部３で原稿を読み取って得られた画像データやＩ／Ｆ部９３を介して複合機１００に入力された画像データに対し、画像処理を施す画像処理部９４が設けられる。画像処理部９４が処理した画像データは、例えば、露光装置６１に送信され、感光体ドラムの走査・露光に用いられる。
【００５７】
又、本体制御部９は、後処理装置２内に設けられ、後処理装置２の動作の制御を行う後処理制御部２０と通信可能に接続される。例えば、後処理制御部２０は、本体制御部９の指示に基づき、パンチ部２２やステープル部２３、２４等の動作を制御する。例えば、例えば、後処理制御部２０は、案内爪２８を回動させるモータの回転を制御する。そして、後処理制御部２０からの指示にあわせ（例えば、副排出トレイ２１０や主排出トレイ２１１への排出や、穿孔処理のためにスタック部２１への搬送等）、後処理装置２内のモータを正逆回転させ、用紙の搬送方向を制御する。
【００５８】
本実施形態の操作パネル１は、表示制御部１０、メモリ１０１（記憶部に相当）、ドライバ回路１０２、液晶表示部１１、タッチパネル部１２を有する。表示制御部１０は、ＣＰＵやＩＣ等で構成され、液晶表示部１１の表示を制御し、タッチパネル部１２の出力を受け、液晶表示部１１で押下された座標を特定する。タッチパネル部１２の出力と座標の対応を示すテーブル等のデータは、メモリ１０１に記憶される。表示制御部１０は、押下位置の座標と、各設定画面ＤＳの画像データを比較する等により、設定画面ＤＳ上で選択された（押下された）キーを特定、認識する。
【００５９】
具体的に、複合機１００の各機能の設定項目を選択し、設定値を設定するには、液晶表示部１１における最上層の表示から、液晶表示部１１に表示されるキーの選択を繰り返す。そして、キー選択ごとに、表示制御部１０は、液晶表示部１１の表示を切り換えさせ、最終的に、選択、設定しようとする機能の設定値が設定される。この機能の選択、設定が行われたことを表示制御部１０は認識し、その内容を本体の本体制御部９に送信する。これにより、操作パネル１で選択、設定された機能を反映した動作を本体制御部９が、画像形成部６等の各部に行わせ、使用者の意思が、印刷等において反映される（例えば、濃度設定や拡大縮小など）。
【００６０】
そして、液晶表示部１１が表示する画面、画像の画像データは、例えば、操作パネル１内のメモリ１０１に記憶される。従って、表示制御部１０は、設定項目の選択画面や各設定画面ＤＳ中のキーが押下されるごとに、表示制御部１０は、次に表示すべき画面の画像データをメモリ１０１から読み出す。
【００６１】
又、液晶表示部１１が表示する画面、画像の画像データは、例えば、本体側の記憶装置９２に記憶させてもよい。この場合、操作パネル１は、液晶表示部１１で表示を行うための画像データを、本体制御部９を介し、記憶装置９２から受信する。この画像データを受けて、表示制御部１０は、液晶画面の表示を実際に制御するドライバ回路１０２に指示を与える。尚、操作パネル１には、ドライバ回路１０２や、液晶表示部１１やタッチパネル部１２だけを設け、表示制御部１０、メモリ１０１の機能を本体制御部９の構成（ＣＰＵ９１や記憶装置９２）に代用させても良い。
【００６２】
（ワークフローの呼出、利用）
次に、図５〜図７を用いて、本発明の実施形態に係るワークフローの概要とワークフローの呼出、利用の一例を説明する。図５は、本発明の実施形態に係るワークフローを選ぶ際の呼出画面Ｄ１の一例を示す説明図である。図６は、ワークフローをウィザード形式で表示した際の流れの一例を示す説明図である。図７は、ワークフローをメニュー形式で表示した際のメニュー画面Ｄ３の一例を示す説明図である。
【００６３】
本実施形態の複合機１００では、多数にわたる設定可能な機能を有し、多様な設定項目がある。そして、液晶表示部１１は、複数の設定項目のうちから設定を行う設定項目を選び出すための選択画面ＤＦを表示し、使用者は、印刷や送信で用いる設定項目（機能）を選ぶ（押下する）。例えば、液晶表示部１１は、各設定項目をキーとして表示する。又、液晶表示部１１は、選択された設定項目用の各設定画面ＤＳを表示する。使用者は各設定画面ＤＳに表示されるキーや、液晶表示部１１の周辺に配されたハードキー等を押下して、多種多様な機能選択、設定を行える。尚、設定項目及びその設定画面ＤＳの種類はあまりに多数にわたるため、便宜上、例として後述する場合を除き図示を避け、設定できる機能（設定項目）を以下に列挙するに留める。
【００６４】
まず、コピーとして利用する場合（コピーキー１５の押下でコピーモードとなる）、複合機１００には、例えば、原稿の画質（文字、写真、文字＋写真等）、コピー濃度、用紙選択、倍率、エコプリント、とじしろ、センター移動、枠消し、両面／分割（片面→両面、両面→片面、見開き→両面等）、小冊子、表紙付け、原稿セット向き、原稿サイズ、ソート、仕分け、白黒反転、鏡像印刷、ページ付け、イメージ合成、集約（２ｉｎ１、４ｉｎ１等）、余白追加、連続読込一括印刷、試しコピー、再コピー、ステープル、パンチ等の設定項目が用意される。使用者は、液晶表示部１１に表示される各設定項目の設定画面ＤＳへの入力により、設定項目内の設定値を設定する。
【００６５】
次に、複合機１００をスキャナとして利用する場合（送信キー１６の押下で複合機１００をスキャナとして利用できる）、例えば、複合機１００には、原稿サイズ、送信サイズ、解像度、原稿セット向き、保存ファイル形式、画質（濃度、カラーモード、圧縮率、写真や文字等の原稿の画質等）、分割、枠消し、ページ毎出力、連続読み込み、ファイル名入力、センター移動、送信先選択、送信先登録、パスワード、Ｅメール送信、相手方受信確認等の設定項目が用意される。使用者は、液晶表示部１１に表示される各設定項目の設定画面ＤＳへの入力により、設定項目内の設定値を設定する。
【００６６】
次に、複合機１００をＦＡＸとして利用する場合（送信キー１６の押下で複合機１００をスキャナとして利用できる）、例えば、複合機１００には、自局情報登録（ＦＡＸ番号、ＩＤ等）、ダイレクト送信、メモリ送信、回転通信、一括送信、Ｆコード通信、用紙切れ時受信、短縮番号、原稿濃度、原稿サイズ、送信先選択、送信先登録、リダイヤル、両面送信、拡大・縮小送信、予約送信、割込送信、時刻指定通信、ポーリング通信、中継送信、受信画像データの転送、暗号通信、通信結果通知、用紙サイズ確認、集約（２ｉｎ１等）、両面受信等の設定項目が容易される。使用者は、液晶表示部１１に表示される各設定項目の設定画面ＤＳへの入力により、設定項目内の設定値を設定する。
【００６７】
ここで、例えば、用紙の消費を抑えるため、集約と両面が組み合わせて設定される場合や、画像読取部３で読み取って得られた画像データの送信方法と送信先など、使用者が複合機１００を利用する上で、頻繁に組み合わせられる設定項目が存在する。ところが、上記のように、複合機１００の有する設定項目（機能）は多岐にわたり、複合機１００を利用するたびに、同様の設定を行うことは煩わしく、利便性が悪い。
【００６８】
そこで、本実施形態の複合機１００では、予め頻繁に用いる設定項目の組み合わせを予め選択、作成し、設定項目の組み合わせをワークフローとして記憶させることができる（詳細は後述）。そして、使用者は、記憶装置９２に記憶されたワークフロー（予め選択した設定項目や表示順や表示形式を示すデータを含むプログラム）を呼び出すと、予め選択した設定項目について設定するための画面が液晶表示部１１に表示される。
【００６９】
例えば、使用者は、予め登録されたワークフローを呼び出す場合、ワークフローキー１７（図３参照）を押下する。そうすると、図５に示すように、予め登録されたワークフローのうち、用いる（呼び出す）ワークフローを選択するための呼出画面Ｄ１が液晶表示部１１に表示される。例えば、図５では、「きれいにコピー」、「節約コピー」、「かんたんＦＡＸ」、「かんたんメール」、「かんたんフォルダ」、「自分のフォルダへ保存」と名付けられたワークフローが表示される。そして、各ワークフローを示す画像を押下することで、押下されたワークフローが記憶装置９２やメモリ１０１から呼び出され、液晶表示部１１にワークフローによる設定のための画面が表示される。
【００７０】
又、呼出画面Ｄ１の下方には、新たにワークフローを作成する場合や既に登録されたワークフローの編集を行う際に押下される登録／編集キーＫ１が配される。又、ワークフローの呼び出しを止めるためのキャンセルキーＫ２も配される。又、図５で示すように、１画面中に表示できるワークフローには限りがある。そこで、次キーＫ３を押下すると、次ページの呼出画面Ｄ１に切り替わり、図５とは異なるワークフローを示す画像が表示される。又、前キーＫ４を押下すると、前ページの呼出画面Ｄ１に切り替えられる。
【００７１】
次に、ワークフローを呼び出した際の表示、設定を説明する。尚、ワークフローを呼び出した際、設定のための画面の表示形式としては、ウィザード表示形式、メニュー表示形式、一覧表示形式が用意される。いずれの表示形式で表示するかは、例えば、ワークフローの登録時等に設定することができる。そこで、表示形式ごとにワークフローの呼び出した際の概要を説明する。
【００７２】
［ウィザード表示形式］
まず、図６を用いて、ワークフローでのウィザード表示形式を説明する。例えば、図６は、図５における「節約コピー」のワークフローを呼び出した際のウィザード形式でのワークフローの一例を示している。
【００７３】
図６に示すワークフローは、「用紙選択」と「排出先選択」と「倍率」と「集約」と「両面／分割」の設定項目が含まれるように作成、登録されている。又、ワークフローは、「用紙選択」の設定画面ＤＳ１→「排出先選択」の設定画面ＤＳ２→「倍率」の設定画面ＤＳ３→「集約」の設定画面ＤＳ４→「両面／分割」の設定画面ＤＳ５の順に、各設定項目の設定画面ＤＳを表示するように作成、登録されている。尚、図６での黒線矢印は、表示順を示す。
【００７４】
各設定画面ＤＳでは、前キーＫ５と次キーＫ６がそれぞれ配される。前キーＫ５が押下されると、液晶表示部１１は、１つ前の設定項目の設定画面ＤＳを表示する。又、次キーＫ６が押下されると、液晶表示部１１は、１つ先の設定項目の設定画面ＤＳを表示する。使用者は、各設定画面ＤＳ内に配された設定用のキーを押下することで、各設定項目での設定値を設定することができる。例えば、図６に示すように、押下された設定用のキーは白黒反転（黒背景に白文字）状態で表示される。
【００７５】
尚、ワークフローの作成、登録時には、各設定画面ＤＳを表示する際に、選択、設定されている設定値のデフォルト値を定めておくことができる。このデフォルト値は、ワークフローの一部として記憶装置９２に記憶される。例えば、集約では「４ｉｎ１」をデフォルト値とするように、ワークフローが作成された場合、初めて「倍率」の設定画面ＤＳ３→「集約」の設定画面ＤＳ４に表示を切り替えた際、図６に示すように、４ｉｎ１キーＫ２９は、既に選択されている状態として液晶表示部１１に表示される。
【００７６】
そして、ワークフローとして予め登録された５つの設定項目について全て設定が完了し、「両面／分割」の設定画面ＤＳ５で次キーＫ６を押下すると、設定一覧Ｄ２が表示される。この設定一覧Ｄ２には、ワークフローに含まれる各設定項目と、各設定項目における設定値が表示される。又、設定一覧Ｄ２では、実行開始キーＫ７と設定変更キーＫ８が表示される。実行開始キーＫ７を押下すると、本体制御部９は、設定一覧Ｄ２に示される内容を把握し、把握した内容で複合機１００を制御し、コピーが行われる。設定変更キーＫ８が押下されると、例えば、再び、「用紙選択」の設定画面ＤＳ１が表示され、使用者は、ワークフローに含まれる設定項目について再度、設定を行える。
【００７７】
［メニュー表示形式］
次に、図７を用いて、ワークフローでのメニュー表示形式を説明する。例えば、図７は、図５における「節約コピー」のワークフローを呼び出した際のメニュー表示形式でのメニュー画面Ｄ３の一例を示している。
【００７８】
図７に示すように、メニュー表示形式では、例えば、「節約コピー」のワークフローを呼び出すと「用紙選択」のメニュー画像ｉ１、「排出先選択」のメニュー画像ｉ２、「倍率」のメニュー画像ｉ３、「集約」のメニュー画像ｉ４、そして「両面／分割」のメニュー画像ｉ５が表示される。従って、選択されるワークフローによって、メニュー画面Ｄ３に表示されるメニュー画像が異なることになる。そして、それぞれのメニュー画像には、デフォルトの設定値も表示される。このように、メニュー表示形式では、ワークフローに含まれる設定項目がメニューとして表示される。
【００７９】
使用者は、設定値を変更したい設定項目のメニュー画像を押下する。これにより、液晶表示部１１の表示は、例えば、図６に示したような、設定項目ごとの設定画面ＤＳに切り替わる。そして、設定画面ＤＳでの設定が完了すると、液晶表示部１１の表示は、図７に示すメニュー画面Ｄ３に再び切り替わる。
【００８０】
又、メニュー画面Ｄ３には、ＯＫキーＫ９とキャンセルキーＫ１０が配される。ＯＫキーＫ９が押下されると、図６に示した設定一覧Ｄ２が液晶表示部１１に表示される。設定一覧Ｄ２の詳細は、図６を用いて説明した場合と同様でよく、説明を省略する。一方、キャンセルキーＫ１０が押下されると、ワークフローを用いた設定がキャンセルされる。
【００８１】
［一覧表示形式］
次に、図６を用いて、ワークフローでの一覧表示形式を説明する。この一覧表示形式では、図５の呼出画面Ｄ１で使用するワークフローを選択すると、いきなり、図６に示した設定一覧Ｄ２が液晶表示部１１に表示される。設定一覧Ｄ２の詳細は、図６を用いてウィザード表示形式で説明した場合と同様でよいので、説明を省略する。
【００８２】
このように、表示入力装置（操作パネル１）の表示部（液晶表示部１１）は、プログラムが呼び出された際、プログラムに含められた各設定項目を対話型で順次表示するウィザード表示形式、プログラムに含められた各設定項目を並列させて一覧表示する一覧表示形式、又は、プログラムに含められた各設定項目を示す画像を（一画面に）表示するメニュー形式表示の何れかの表示形式で表示する。
【００８３】
（ワークフローの作成、登録）
次に、図８〜図１８を用いて、本発明の実施形態に係る複合機１００でのワークフローの作成、登録の概要を説明する。図８は、本発明の実施形態に係る複合機１００でのワークフローの作成、登録の流れの一例を示すフローチャートである。
【００８４】
まず、図８におけるスタートは、例えば、ワークフローキー１７が押下され、呼出画面Ｄ１で、登録／編集キーＫ１が押下され（図５参照）た場合等、ワークフローの新規登録が開始された時点である。言い換えると、操作パネル１のモードが、コピー等の設定を行う通常の入力モードから、ワークフロー登録モードに移行した時点である。次に、操作パネル１は、作成するワークフローに含める設定項目を選択する入力を受け付ける（ステップ♯１）。そして、表示制御部１０や本体制御部９は、選択された設定項目を認識する。
【００８５】
［設定項目の選択］
ここで、図９及び図１０を用いて、ワークフローに含める設定項目の選択の一例を説明する。図９は、コピーに関するワークフロー作成における設定項目の選択画面の一例を示す説明図である。図１０は、送信に関するワークフロー作成における設定項目の選択画面の一例を示す説明図である。
【００８６】
まず、図９を用いて、コピーに関するワークフローを作成する場合の設定項目の選択を説明する。図９に示すように、液晶表示部１１は、例えば、図８に示すスタートの後、コピーキー１５が押下されると、コピーの機能に関する設定項目の選択画面ＤＦ１を表示する。液晶表示部１１は、選択画面ＤＦ１内に、原稿／用紙／仕上げタブＴＢ１、画質タブＴＢ２、レイアウト／編集タブＴＢ３、応用／その他タブＴＢ４といった複数のタブを表示する。尚、タブは、更に複数種設けられてもよい。
【００８７】
例えば、原稿／用紙／仕上げタブＴＢ１が押下されると、液晶表示部１１は、図９（ａ）に示すように、原稿／用紙／仕上げに関する設定項目が表示され、設定項目は、キーとして配される。例えば、原稿／用紙／仕上げタブＴＢ１を押下すると、読み取る原稿のサイズを設定するための原稿サイズキーＫ１１や、印刷に用いる用紙を設定するための用紙選択キーＫ１２や、載置読取用コンタクトガラス３２や原稿搬送装置４への原稿のセット向きを設定するための原稿セット向きキーＫ１３や、複数部印刷する際の各ページの印刷順等を設定するためのソート／仕分けキーＫ１４、ステープル処理に関して設定するためのステープルキーＫ１５や、パンチ処理に関して設定するためのパンチキーＫ１６や、排出先を設定するための排出先キーＫ１７が配される。
【００８８】
又、例えば、レイアウト／編集タブＴＢ３を押下すると、図９（ｂ）に示すように、コピーでのページや画像のレイアウトや編集に関する設定項目が表示される。そして、この選択画面でも、設定項目は、キーとして配される。例えば、レイアウト／編集タブＴＢ３を押下すると、拡大や縮小等、画像の倍率を設定するための拡大／縮小キーＫ１８や、両面印刷や、両面印刷済みの原稿や見開き印刷された原稿の各ページの分割印刷を設定するための両面／分割キーＫ１９や、複数枚の原稿を１ページに収める複写に関し設定するための集約キーＫ２０等が配される（他の設定項目のキーにも設定内容が割り振られるが、説明は割愛）。又、画質タブＴＢ２が押下されると、液晶表示部１１は、画質に関する設定項目（例えば、濃度設定）に対応するキーを表示する。又、応用／その他タブＴＢ４が押下されると、液晶表示部１１は、コピーに関する応用的な設定項目（例えば、鏡像印刷や白黒反転印刷等）をキーとして表示する。
【００８９】
次に、図１０を用いて、送信に関するワークフローを作成する場合の設定項目の選択を説明する。図１０に示すように、液晶表示部１１は、例えば、図８に示すスタートの後、送信キー１６が押下されると、ＦＡＸやスキャン等、原稿の読み取りにより得られた画像データの送信の機能に関する設定項目の選択画面ＤＦ２（図１０参照）が表示される。
【００９０】
例えば、図１０に示すように、液晶表示部１１は、送信用の選択画面ＤＦ２内に、宛先タブＴＢ５、原稿／送信形式タブＴＢ６、カラー／画質タブＴＢ７、応用／その他タブＴＢ８といった複数のタブを表示する。尚、タブは、更に複数種設けられてもよい。
【００９１】
例えば、各設定項目は、キーとして配される。図１０に示すように、原稿／送信形式タブＴＢ６が押下されると、読み取る原稿や画像データの送信形式に関する設定項目が表示される。そして、液晶表示部１１は、読み取る原稿のサイズを設定するための原稿サイズキーＫ２１や、送信する画像データのサイズを設定するための送信サイズキーＫ２２Ｋ２２や、原稿搬送装置４に載置される原稿のサイズが統一されていないとき、自動判別を行うかを設定するための原稿サイズ混載キーＫ２３や、原稿が片面印刷か両面印刷か、１ページ分の画像データに含めるページ数等を設定するための片面両面選択キーＫ２４や、送信する画像データの形式（例えば、ＰＤＦやＴＩＦＦ）等を設定するためのファイル形式キーＫ２５等が配される（他の設定項目のキーにも設定内容が割り振られるが、説明は割愛）。
【００９２】
これら選択画面ＤＦ（ＤＦ１、ＤＦ２等）で設定項目の設定が行われると、表示制御部１０は選択された設定項目内の設定値を設定するための設定画面ＤＳを表示する（ステップ♯２）。そして、表示制御部１０は設定画面ＤＳで使用者によって設定された設定値（押下された設定値を示すキー）をデフォルトの設定値として把握する（ステップ♯３）。
【００９３】
［デフォルトの設定値の設定］
ここで、図１１及び図１２を用いて、ワークフローに含める設定項目の設定値の設定の一例を説明する。図１１は、コピーに関するワークフロー作成での設定値の設定画面ＤＳの一例を示す説明図である。図１２は、送信に関するワークフロー作成における設定値の設定画面ＤＳの一例を示す説明図である。
【００９４】
例えば、図１１では、用紙選択の設定項目の設定画面ＤＳ１（図１１（ａ））と、集約の設定項目の設定画面ＤＳ２（図１１（ｂ））と、両面／分割の設定項目の設定画面ＤＳ３（図１１（ｃ））を示している。このように、各設定項目に対し、設定画面ＤＳが用意されている（他の設定項目については、図示を省略）。
【００９５】
例えば、図１１（ａ）は、用紙選択キーＫ１２を押下した際に（用紙選択の設定項目を選択した際に）表示される設定画面ＤＳの一例である。液晶表示部１１は、用紙選択の設定画面ＤＳ１では、自動用紙選択キーＫ２６や、給紙部５ａの用紙の種類を示すキーを表示する。又、図１１（ｂ）は、集約キーＫ２０を押下した際に（集約の設定項目を選択した際に）表示される設定画面ＤＳの一例である。液晶表示部１１は、集約の設定画面ＤＳでは、１ページに含めるページの枚数を定めるための設定無しキーＫ２７（１ページに１ページを含ませる）、２ｉｎ１キーＫ２８（１ページに２ページを集約）、４ｉｎ１キーＫ２９（１ページに２ページを集約）を表示する。又、集約時のページレイアウトや境界線を定めるキー等も表示する。又、図１１（ｃ）は、両面／分割キーＫ１９を押下した際に（両面／分割の設定項目を選択した際に）表示される設定画面ＤＳの一例である。液晶表示部１１は、両面／分割キーＫ１９の設定画面ＤＳでは、両面印刷や分割印刷の態様を定めるためのキーを複数表示する。
【００９６】
表示制御部１０は、各設定画面ＤＳで押下されたキーを白黒反転させて表示させる。そして、表示制御部１０は、各設定画面ＤＳに、例えば、ＯＫキーＫ３０とキャンセルキーＫ３１を表示させる。表示制御部１０は、ＯＫキーＫ３０が押下されたとき、設定されている設定値をワークフローでのデフォルトの設定値と定める（例えば、図１１（ｃ）では、片面印刷された原稿に基づき両面印刷を行う片面原稿→両面印刷がデフォルトの設定値とされる。）。
【００９７】
例えば、図１２では、画像データの送信に関し、送信サイズの設定項目の設定画面ＤＳ４（図１２（ａ））と、送信先（宛先）の設定画面ＤＳ５（図１２（ｂ））を示している。このように、送信に関しても、各設定項目に対し設定画面ＤＳが用意される（他の送信に関する設定項目については、図示を省略）。又、送信に関する設定画面ＤＳでも、設定を了承する際に押下されるＯＫキーＫ３０と、設定を取りやめる際に押下されるキャンセルキーＫ３１が設けられる。
【００９８】
例えば、図１２（ａ）は、送信サイズキーＫ２２を押下した際に（送信サイズの設定項目を選択した際に）表示される設定画面ＤＳ４の一例である。例えば、液晶表示部１１は送信サイズの設定画面ＤＳ４では、原稿を読み取って得られた画像データのサイズを定めるためのキーを複数表示する。
【００９９】
又、図１２（ｂ）は、宛先タブＴＢ５を押下した際に、液晶表示部１１が表示できる送信先（宛先）の設定画面ＤＳ５としてのアドレス帳画面Ｄ４の一例である。例えば、使用者は、アドレス帳画面Ｄ４に表示される宛先名やＦＡＸ番号やアドレス等の送信先情報を押下することで宛先を１又は複数設定できる（図１２（ｂ）では、指定された送信先にはチェックが付された状態を示す。白黒反転表示させてもよい）。そして、表示制御部１０は、アドレス帳画面Ｄ４で指定された送信先をデフォルトの送信先（宛先）として把握する。例えば、図１２（ｂ）に示すアドレス帳画面Ｄ４には、例えば、宛先名の頭文字で絞り込むための複数の第１絞り込みキーＫ３２が表示される。尚、図１０（ｂ）は、「か行」で絞り込まれた状態を示している。
【０１００】
宛先名や、宛先のＦＡＸ番号や、Ｅメールアドレスや、ネットワークアドレス等の送信先情報は、記憶装置９２に記憶される。尚、宛先名及びこれに対応する送信先情報は、操作パネル１への入力により、新規に追加できる。又、複数件分の宛先名及びこれに対応する送信先情報を示すデータを、外部のコンピュータからＩ／Ｆ部９３を介して複合機１００に送信することで、記憶装置９２に、宛先名及びこれに対応する送信先情報を記憶させてもよい。
【０１０１】
又、液晶表示部１１は、アドレス帳画面Ｄ４に、複数の送信方法によって送信先を絞り込むための第２絞り込みキーが設けられる。第２絞り込みキーは、ＥメールキーＫ３３、フォルダキーＫ３４（外部のコンピュータ２００や記憶装置９２のＨＤＤ内のフォルダに画像データを記憶）、ＦＡＸキーＫ３５、ｉ−ＦＡＸキーＫ３６（インターネットＦＡＸ）、等の種類がある。これらの第２絞り込みキーを押下することで、送信方法による絞り込みが行える。具体的には、押下された送信方法について送信先情報のない送信先は、アドレス帳画面Ｄ４に表示されなくなる（例えば、ＦＡＸキーＫ３５が押下されると、Ｅメールアドレスを送信先情報とするＮｏ９９９７は表示されなくなる）。
【０１０２】
表示制御部１０は、各設定項目の設定画面ＤＳで押下されたキーを白黒反転させて表示させる。又、表示制御部１０は、送信先として選択された宛先名や送信先情報にチェックを入れる。そして、表示制御部１０は送信に関する各設定画面ＤＳでも、例えば、ＯＫキーＫ３０とキャンセルキーＫ３１を表示させる。表示制御部１０は、ＯＫキーＫ３０が押下されたとき、設定されている設定値をワークフローでのデフォルトの設定値と定める。
【０１０３】
このような、設定項目でのデフォルトの設定値の設定の後、表示制御部１０は、設定項目の選択が終了したかを確認する（ステップ♯４）。具体的には、例えば、表示制御部１０はワークフローに含める設定項目の選択を終了する旨の入力が行われたかを確認する。ワークフローに含める設定項目の選択を終了する旨の入力は、複数種とできる。例えば、設定項目の選択画面ＤＦでのスタートキー１４の押下やワークフローキー１７の押下等、任意に定めることができる。又、ＯＫキーＫ３０が押下されるごとに、設定項目の選択を終了してよいかを使用者に確認する確認の画面を表示させても良い。
【０１０４】
もし、ワークフローに含める設定項目の選択が終了していなければ（ステップ♯４のＮｏ）、設定項目の追加がなされるので、例えば、ステップ♯１に戻る。一方、ワークフローに含める設定項目の選択が終了すれば（ステップ♯４のＹｅｓ）、表示制御部１０は、図１３に示すようなワークフローの名称入力画面Ｄ５を表示させる。図１３は、作成されたワークフローの名称入力画面Ｄ５の一例を示す説明図である。
【０１０５】
例えば、使用者は、名称入力画面Ｄ５内のソフトキーボードを入力し、かな、漢字、アルファベット等でワークフローの名称を付ける入力を行っていく（ステップ♯５）。表示制御部１０は、使用者によるソフトキーボードへの入力に従って、名称表示欄Ｄ５１の表示を変化させる。そして、例えば、表示制御部１０は、次キーＫ３７が押下されたときの名称表示欄Ｄ５１に示された内容を作成中のワークフローに付ける名称と把握する。
【０１０６】
更に、表示制御部１０は、作成したワークフローが呼び出されたときの表示形式を定めるための表示形式決定画面Ｄ６を表示し、使用者は、ワークフローの表示形式を選択する（ステップ♯６）。例えば、表示制御部１０は、図１４に示すような表示形式決定画面Ｄ６を表示させる。図１４は、ワークフローを呼び出す際の表示形式を定めるため表示形式決定画面Ｄ６の一例を示す説明図である。即ち、入力部（タッチパネル部１２等）は、プログラムを作成し、登録する際、ウィザード表示形式、一覧表示形式、メニュー表示形式のうちの少なくとも２つ以上の中から、プログラムが呼び出されたときの表示形式を選択する入力を受け付け、記憶部（記憶装置９２、メモリ１０１）は、プログラムの内容として、プログラムが呼び出された際の表示形式を記憶する。その結果、表示制御部１０は、プログラムが呼び出された際、表示部（液晶表示部１１）に、選択された表示形式でプログラムを表示させる。
【０１０７】
例えば、使用者は、表示形式決定画面Ｄ６で、メニュー形式キーＫ３８（メニュー表示形式）、ショートカット方式キーＫ３９（一覧表示形式）、ウィザード形式キーＫ４０（ウィザード表示形式）の何れかのキーを押下する。表示制御部１０は、次キーＫ４１が押下されたときに選ばれたキーに対応する表示形式を作成中のワークフローの表示形式と把握する。
【０１０８】
次に、表示制御部１０は、例えば、各設定項目の選択順に、ワークフロー呼出時の表示に関する詳細設定画像Ｄ７を表示する（ステップ♯７、図１５参照）。そして、使用者は詳細設定画像Ｄ７を利用してワークフロー呼出時の表示に関する詳細な設定がなされ、表示制御部１０に受け付けられる（ステップ♯８）。例えば、ワークフローに含める設定項目として、用紙選択→集約→両面／分割の順に設定項目が選択された場合、用紙選択→集約→両面／分割の順にワークフローを呼出時の表示に関する詳細設定画像Ｄ７の表示がなされる。
【０１０９】
［ワークフロー呼出時の表示の詳細設定入力］
ここで、図１５〜図１８を用いて、ワークフロー呼出時の表示に関する詳細設定を説明する。図１５は、ワークフローでの設定項目の表示や設定値に関して定めるための決定画面の一例を示す説明図である。図１６〜図１８は、ワークフローでの設定項目の表示や設定値に関して定めるための決定画面の一例を示す説明図である。尚、設定項目としては、一例として、コピーに関する両面／分割の設定項目を例として挙げる。
【０１１０】
まず、図１５に示すように、例えば、作成中のワークフローに含めた設定項目の設定画面ＤＳの上方に、ワークフロー呼出時の表示に関する詳細な設定を行うための詳細設定画像Ｄ７が重ねられて表示される。詳細設定画像Ｄ７には、例えば、設定項目表示キーＫ４２、デフォルト設定値変更キーＫ４３、設定可能設定値キーＫ４４、前キーＫ４５、次キーＫ４６の５つのキーが表示される。
【０１１１】
設定項目表示キーＫ４２が押下されると、表示制御部１０は、例えば、図１６に示すような詳細設定画面ＤＳ６を表示させる。この詳細設定画面ＤＳ６では、ワークフローの呼出時に、設定項目を表示するか否かを設定することができる。そして、詳細設定画面ＤＳ６には、非表示キーＫ４７（「しない」と付されたキー）と、表示キーＫ４８（「する」と付されたキー）とＯＫキーＫ４９とキャンセルキーＫ５０が配される。例えば、非表示キーＫ４７を押下し、ＯＫキーＫ４９を押下すると、呼び出されたワークフローをメニュー表示形式やウィザード表示形式でする場合、設定項目及びその設定画面ＤＳを一切表示しないようにすることができる。これにより、ワークフローの呼出時、設定項目が外されることや、設定値の変更を一切行えないようにすることができる。一方、表示キーＫ４８が押下され、ＯＫキーＫ４９が押下されると、呼び出されたワークフローをメニュー表示形式やウィザード表示形式でする場合に、設定項目は表示される。
【０１１２】
次に、デフォルト設定値変更キーＫ４３が押下されると、表示制御部１０は、例えば、図１７に示すような詳細設定画面ＤＳ７を表示する。この詳細設定画面ＤＳ７では、ワークフローの呼出時に、デフォルトの設定値の変更を認めるか否かを設定することができる。そして、詳細設定画面ＤＳ７には、変更不許可キーＫ５１（「変更を認めない」と付されたキー）と、変更許可キーＫ５２（「変更を認める」と付されたキー）とＯＫキーＫ５３とキャンセルキーＫ５４が配される。例えば、変更不許可キーＫ５１を押下し、ＯＫキーＫ５３を押下すると、呼び出されたワークフローをメニュー表示形式やウィザード表示形式でする場合、設定項目及びその設定画面ＤＳは表示されるが、デフォルトの設定値から（ワークフロー作成時に設定した設定値から）変更できないようにすることができる。
【０１１３】
例えば、アルバイトの者や、新入社員など、業務や複合機１００の操作に慣れていない者がコピーをする場合でも、資源消費を押さえる観点から、必ず集約印刷や両面印刷を行わせるようにすることができる。又、送信先（宛先としての設定値）の変更をできないようにすることで、アルバイトの者や、新入社員など、業務や複合機１００の操作に慣れていない者がデータの送信をする場合でも、誤送信を防ぐことができる。言い換えると、ワークフローの作成者の意図しない誤操作の発生を防ぐことができる。一方、変更許可キーＫ５２が押下されＯＫキーＫ５３が押下されると、呼び出されたワークフローをメニュー表示形式やウィザード表示形式でする場合に、デフォルトの設定値は、変更可能となる。
【０１１４】
次に、設定可能設定値キーＫ４４が押下されると、表示制御部１０は、例えば、図１８に示すような詳細設定画面ＤＳ８を表示する。この詳細設定画面ＤＳ８では、ワークフローの呼出時に、デフォルトの設定値の変更を認める場合に、設定可能な設定値に制限をかけることができる。そして、例えば、両面分割の設定項目では両面印刷に関し、複数の設定値を選択できるところ、例えば、液晶表示部１１は、詳細設定画面ＤＳ８内に、片面→片面キーＫ５５（片面原稿→片面印刷に対応）、片面→両面キーＫ５６（片面原稿→両面印刷に対応）、両面→片面キーＫ５７（両面原稿→片面印刷に対応）、両面→両面キーＫ５８（片面原稿→片面印刷に対応）等、両面／分割の設定項目に含まれる設定値を示すキーや、ＯＫキーＫ５９とキャンセルキーＫ６０等を表示する。尚、１画面内に収まらない場合、他のキー（例えば、見開き原稿→両面印刷等）は、詳細設定画面ＤＳ８の右部のスクロールバーＫ６１を利用することで表示させることができる。
【０１１５】
そして、表示制御部１０は、ワークフローの呼出時、設定可能として使用者が押下したキーについては、各キーの左端に設けられたチェックボックスにチェックを入れる態様で液晶表示部１１に表示させる（白黒反転表示でもよい）。例えば、ＯＫキーＫ５３を押下すると、呼び出されたワークフローをメニュー表示形式やウィザード表示形式でする場合チェックが入れられた設定値のみ、設定できるようにすることができる。
【０１１６】
これにより、無制限な設定値の変更を無くし、例えば、アルバイトの者や、新入社員など、業務や複合機１００の操作に慣れていない者によって、不必要な設定値の設定による無駄なコピーや画像データの送信をなくすことができる。
【０１１７】
このように、表示制御部１０は、ワークフロー呼出時の表示に関する詳細な設定を受け付ける（ステップ♯８）。そして、表示制御部１０は、例えば、詳細設定画像Ｄ７の次キーが押されるごとに、作成中のワークフローに含められた設定項目の全てについて、ワークフローの呼出時の詳細な表示の設定がなされたか（完了したか）を確認する（ステップ♯９）。もし、完了していなければ（ステップ♯９のＮｏ）、例えば、ステップ♯７に戻り、次の選択順の設定項目について、詳細な設定が行われる。
【０１１８】
一方、完了していれば（ステップ♯９のＹｅｓ）、記憶装置９２又はメモリ１０１は、作成されたワークフローを記憶することにより、ワークフローが登録される（ステップ♯１０→エンド）。例えば、表示制御部１０は、ワークフローの名称、表示形式、含まれる設定項目、設定項目の表示順（ワークフロー作成時の設定項目の選択順と一致）、設定項目内のデフォルトの設定値、呼出時に表示する設定項目と表示しない設定項目の区別、各設定項目での設定値が変更できるか否か、設定値を変更可能とする場合に選ぶことができる設定値を示すデータを本体制御部９に送信し、記憶装置９２や、メモリ１０１がプログラムとして記憶する。この後、操作パネル１は、ワークフロー登録モードから通常の入力モードに復帰する（エンド）
【０１１９】
即ち、表示入力装置（操作パネル１）は、実行可能な複数種の機能を設定項目として表示する表示部（液晶表示部１１）と、予め複数の設定項目の中から選択され、登録された設定項目の組み合わせであり、呼び出すことにより予め選択、登録された設定項目を設定するための画面を表示部に表示させるプログラムを記憶する記憶部（記憶装置９２、メモリ１０１）と、プログラムを作成し、登録する際、プログラムに含める設定項目を選択する入力を受け付けるとともに、プログラムが呼び出されたとき、プログラムに含められる各設定項目の表示を行うか否かの入力を受け付ける入力部（タッチパネル部１２等）と、表示部での表示を制御するとともに、前記入力部になされた入力を認識する表示制御部１０と、を有し、記憶部は、プログラムの内容として、プログラムが呼び出された際に、プログラムに含められた各設定項目について表示を行うか否かを記憶する。その結果、表示制御部１０は、表示部（液晶表示部１１）に、プログラムが呼び出された際に、非表示と定められた設定項目については表示を行わせない。
【０１２０】
又、入力部（タッチパネル部１２等）は、プログラムを作成し、登録する際、プログラムに含めると選択された設定項目内のデフォルトの設定値を設定する入力を受け付けるとともに、プログラムが呼び出されたとき、プログラムに含められる設定項目のデフォルトの設定値の変更を認めるか否かの入力を受け付け、記憶部（記憶装置９２、メモリ１０１）は、プログラムの内容として、プログラムが呼び出されたとき、プログラムに含められた設定項目のデフォルトの設定値の変更を認めるか否かを記憶する。その結果、表示制御部１０は、プログラムが呼び出された際、変更を認めないとされたデフォルトの設定値を変更する入力を受け付けない（無視する）。
【０１２１】
更に、入力部（タッチパネル部１２等）は、プログラムを作成し、登録する際、プログラムが呼び出されたとき、プログラムに含めると選択された設定項目内の複数の設定値のうち、選択可能な設定値を定める入力を受け付け、記憶部（記憶装置９２、メモリ１０１）は、プログラムの内容として、プログラムが呼び出されたとき、プログラムに含められた設定項目のうち、選択可能な設定値を記憶し、表示制御部１０は、プログラムが呼び出された際に、選択可能とされた設定値についてのみ設定する入力を受け付ける（選択不可能な設定値に対する入力は無視する）。
【０１２２】
（ワークフロー呼出時の流れ）
次に、図１９〜図２１に基づき、本発明の実施形態に係る複合機１００でのワークフロー呼出時の流れの一例を説明する。図１９は、本発明の実施形態に係る複合機１００でのメニュー表示形式でのワークフロー呼出時の流れの一例を示すフローチャートである。図２０は、本発明の実施形態に係る複合機１００でのウィザード表示形式でのワークフロー呼出時の流れの一例を示すフローチャートである。図２１は、本発明の実施形態に係る複合機１００での一覧表示形式でのワークフロー呼出時の流れの一例を示すフローチャートである。
【０１２３】
［メニュー表示形式］
まず、ワークフローを呼び出してメニュー表示形式で表示する場合の表示の流れの一例を図１９を用いて説明する。例えば、図１９のスタートは、ワークフローキー１７（図３参照）が押下され予め登録されたワークフローのうち、用いる（呼び出す）ワークフローを選択する入力を表示制御部１０が受け付け、かつ、そのワークフローの表示形式がメニュー表示形式である場合である。
【０１２４】
次に、表示制御部１０は、記憶装置９２やメモリ１０１に、プログラムとして登録されたワークフローの内容を確認する（ステップ♯１１）。そして、表示制御部１０は、表示しないと設定された設定項目については、メニューとして表示させないでメニュー画面Ｄ３を液晶表示部１１に表示させる（ステップ♯１２、図７参照）。
【０１２５】
そして、表示制御部１０は、例えば、デフォルトの設定値等を確認した使用者によりＯＫキーＫ９が押下されたため、メニュー画面Ｄ３の表示を終了させてよいか確認をする（ステップ♯１３）。もし、メニュー画面Ｄ３の表示を終了させてよければ（ステップ♯１３のＹｅｓ）、設定一覧Ｄ２を表示する（ステップ♯１４）。
【０１２６】
そして、表示制御部１０は、ジョブを実行してよいか確認する（ステップ♯１５）。具体的には、表示制御部１０は、実行開始キーＫ７（図６参照）やスタートキー１４が押下されたかを確認する。もし、設定変更キーＫ８が押下され（図６参照）、ジョブを実行すべきでない場合（ステップ♯１５のＮｏ）、表示制御部１０は、メニュー画面Ｄ３を液晶表示部１１に表示させる（ステップ♯１２に戻る）。ジョブを実行してよければ（ステップ♯１５のＹｅｓ）、ワークフロー内の設定項目と各設定値に応じてジョブが行われ（ステップ♯１６）、処理は終了する（エンド）。
【０１２７】
一方、メニュー画面Ｄ３の表示を終了させなければ（ステップ♯１３のＮｏ）、メニュー画面Ｄ３でメニュー画像の選択により、設定項目が選択されたかを確認する（ステップ♯１７）。もし、設定項目が選択されていない場合（ステップ♯１７のＮｏ）、例えば、ステップ♯１２に戻る。一方、設定項目が選択された場合（ステップ♯１７のＹｅｓ）、表示制御部１０は、デフォルトの設定値の変更が認められない場合や、設定可能な設定値が決まっている場合、デフォルトの設定値若しくは設定可能な設定値を示すキー以外のキーを非表示又はグレーアウト表示して設定画面ＤＳを液晶表示部１１に表示させる（ステップ♯１８）。そして、使用者による設定値の設定が行われ（ステップ♯１９）、メニュー画面Ｄ３に戻る（ステップ♯１２へ）。
【０１２８】
［ウィザード表示形式］
まず、ワークフローを呼び出してウィザード表示形式で表示する場合の表示の流れの一例を図２０を用いて説明する。例えば、図２０のスタートは、ワークフローキー１７（図３参照）が押下され予め登録されたワークフローのうち、用いる（呼び出す）ワークフローを選択する入力を表示制御部１０が受け付け、かつ、そのワークフローの表示形式がウィザード表示形式である場合である。
【０１２９】
次に、表示制御部１０は、記憶装置９２やメモリ１０１に、プログラムとして登録されたワークフローの内容を確認する（ステップ♯２１）。表示制御部１０は、ウィザード表示形式での表示を開始する（ステップ♯２２）。そして、表示制御部１０は、ワークフローの内容を確認し、最初の設定項目の設定画面ＤＳを表示して良いか確認する（ステップ♯２３）。
【０１３０】
もし、最初に表示すべき設定項目が、ワークフローの作成、登録時に非表示にする旨が定められていれば（ステップ♯２３のＮｏ）、表示制御部１０は、最初の設定項目の設定画面ＤＳの表示をスキップする（ステップ♯２４）。一方、表示して良ければ（ステップ♯２３のＹｅｓ）、デフォルトの設定値の変更が認められない場合や、設定可能な設定値が決まっている場合、デフォルトの設定値若しくは設定可能な設定値を示すキー以外のキーを非表示又はグレーアウト表示して、ワークフローに含まれる設定項目のうち、最初の設定項目の設定画面ＤＳ表示する（ステップ♯２５）。
【０１３１】
ステップ♯２４とステップ♯２５の次に、表示制御部１０は、次キーＫ６が押下されると、ワークフローに含められ、表示する必要のある設定項目の設定画面ＤＳを全て表示したかを確認する（ステップ♯２６）。もし、表示する必要のある全ての設定項目の設定画面ＤＳを表示していれば、表示制御部１０は、設定一覧Ｄ２を表示させる（ステップ♯２７）。
【０１３２】
そして、表示制御部１０は、ジョブを実行してよいか確認する（ステップ♯２８）。具体的には、表示制御部１０は、実行開始キーＫ７（図６参照）やスタートキー１４が押下されたかを確認する。もし、設定変更キーＫ８が押下され（図６参照）、ジョブを実行すべきでなければ（ステップ♯２８のＮｏ）、表示制御部１０は、例えば、再びウィザード表示形式での表示を開始する（ステップ♯２２に戻る）。ジョブを実行してよければ（ステップ♯２８のＹｅｓ）、ワークフロー内の設定項目と各設定値に応じてジョブが行われ（ステップ♯２９）、処理は終了する（エンド）。
【０１３３】
一方、表示する必要のある設定項目の設定画面ＤＳを全て表示していなければ（ステップ♯２６のＮｏ）、次の設定項目の設定画面ＤＳを、表示して良いか確認する（ステップ♯３０）。もし、ワークフローの作成、登録時に非表示にする旨が定められていれば（ステップ♯３０のＮｏ）、表示制御部１０は、次の設定項目の設定画面ＤＳの表示をスキップする（ステップ♯３１）。一方、表示して良ければ（ステップ♯３０のＹｅｓ）、デフォルトの設定値の変更が認められない場合や、設定可能な設定値が決まっている場合、デフォルトの設定値若しくは設定可能な設定値を示すキー以外のキーを非表示又はグレーアウト表示して、ワークフローに含まれる設定項目のうち、最初の設定項目の設定画面ＤＳ表示する（ステップ♯３２）。その後、例えば、設定値の設定が行われた後、ステップ♯２６に戻る。
【０１３４】
［一覧表示形式］
まず、ワークフローを呼び出して一覧表示形式で表示する場合の表示の流れの一例を図２１を用いて説明する。例えば、図２１のスタートは、ワークフローキー１７（図３参照）が押下され予め登録されたワークフローのうち、用いる（呼び出す）ワークフローを選択する入力を表示制御部１０が受け付け、かつ、そのワークフローの表示形式が一覧表示形式である場合である。
【０１３５】
次に、表示制御部１０は、記憶装置９２やメモリ１０１に、プログラムとして登録されたワークフローの内容を確認する（ステップ♯４１）。次に、表示制御部１０は、設定一覧Ｄ２を表示させる（ステップ♯４２）。そして、表示制御部１０は、ジョブを実行してよいか確認する（ステップ♯４３）。具体的には、表示制御部１０は、実行開始キーＫ７（図６参照）やスタートキー１４が押下されたかを確認する。
【０１３６】
もし、設定変更キーＫ８が押下され（図６参照）、ジョブを実行すべきでなければ（ステップ♯４３のＮｏ）、表示制御部１０は、例えば、一覧表示形式での表示制御を終了する（エンド）。そして、表示制御部１０は、ウィザード表示形式やメニュー表示形式での表示制御をおこなえばよい（図１９、図２０参照）。この場合、ウィザード表示形式やメニュー表示形式のいずれに移行してもよい。又、この場合、使用者にウィザード表示形式で表示するか、メニュー表示形式で表示するか選択させてもよい。一方、ジョブを実行してよければ（ステップ♯４３のＹｅｓ）、ワークフロー内の設定項目と各設定値に応じてジョブが行われ（ステップ♯４４）、処理は終了する（エンド）。
【０１３７】
このように、メニュー表示形式やウィザード表示形式では、表示制御部１０は、プログラムが呼び出された際、各設定項目の設定画面ＤＳで、変更を認めないとされた設定値以外の設定値を、表示部（液晶表示部１１）に選択不可状態（例えば、グレーアウト状態）として表示させ、又は、表示部（液晶表示部１１）に表示させない。又、表示制御部１０は、プログラムが呼び出された際、各設定項目の設定画面ＤＳで、選択可能と定められた設定値以外の設定値を選択不可状態（例えば、グレーアウト状態）として表示部（液晶表示部１１）に表示させ、又は、選択可能と定められた設定値以外の設定値を表示部（液晶表示部１１）に表示させない。
【０１３８】
このようにして、本発明によれば、プログラムを作成し、登録する際、プログラムが呼び出されたときにプログラムに含められる各設定項目の表示を行うか否かの入力を行うことができる。これにより、プログラムが呼び出された際、設定項目の選択を外せないようにすることができる。従って、プログラムの作成者のニーズに、より細かく的確に応えることができる。例えば、画像形成装置（例えば、複合機１００）の場合、必ず、資源節約のため集約印刷が行われるようにしたり、誤送信防止のため送信先を変更できなくしたりする等、プログラムが呼び出された際、使用者による各設定項目についての誤操作発生を防ぐことができる。
【０１３９】
又、プログラムを作成し、登録する際、プログラムが呼び出されたときにプログラムに含められる設定項目のデフォルトの設定値の変更を認めるか否かを設定することができる。これにより、変更できる設定値、変更できない設定値の差を設けつつ、プログラムを作成、登録することができる。従って、プログラム登録における使用者のニーズに、より細かく的確に応えることができる。又、例えば、画像形成装置（例えば、複合機１００）の場合、必ず集約印刷（４ｉｎ１や２ｉｎ１等）が行われるようにしたり、誤送信防止のため送信先を変更できなくしたりする等、プログラムが呼び出された際、使用者による設定値に対する誤操作を防ぐことができる。
【０１４０】
又、プログラムが呼び出された際、各設定項目の設定画面ＤＳで、変更を認めないとされた設定値以外の設定値は、選択不可状態（例えば、グレーアウト状態）として表示され、又は、変表示されない。これにより、使用者は、設定値の変更ができないことを容易に認識することができ、プログラム作成者の意図を容易に把握することができる。従って、誤操作の発生を防ぐことができる。又、プログラムを作成し、登録する際、プログラムが呼び出されたときに、設定項目内の複数の設定値のうち、選択可能な設定値を定める入力を受け付ける。これにより、変更できる設定値、変更できない設定値の差を設け、かつ、選べる設定値に制限をかけつつプログラムを作成、登録することができる。従って、プログラム登録における使用者のニーズに、より細かく的確に応えることができる。例えば、画像形成装置（例えば、複合機１００）の場合、集約印刷をしない旨の設定値は設定不可能として、必ず、集約印刷が行われるようにすることや、誤送信防止のため送信先を必ず入力するようにする等、プログラムが呼び出された際、使用者による各設定項目内の設定値についての誤操作を防ぐことができる。
【０１４１】
又、プログラムが呼び出された際、選択可能と定められた設定値以外の設定値は、選択不可状態（例えば、グレーアウト状態）として表示され、又は、表示されない。これにより、使用者は、変更できる設定値が限られていることを容易に認識することができ、プログラム作成者の意図を容易に把握することができる。従って、誤操作の発生を防ぐことができる。又、プログラムが呼び出された際、プログラムに含められた各設定項目は、ウィザード表示形式、一覧表示形式、メニュー形式表示の何れかの表示形式で表示される。これにより、プログラムの呼出によって、プログラム作成者のニーズを細かく反映しつつ、設定可能な設定項目や設定値を限定しつつ、設定が行われる。従って、プログラムの使用者は、迷うことなく各設定項目や設定値を設定することができる。
【０１４２】
又、プログラムを作成し、登録する際、ウィザード表示形式、一覧表示形式、メニュー表示形式のうちの少なくとも２つ以上の中から、プログラムが呼び出されたときの表示形式を選択することができる。これにより、任意の形式で、プログラムが呼び出された際の表示が行われる。又、画像形成装置（例えば、複合機１００）は、本発明の表示入力装置（操作パネル１）を備える。これにより、プログラムの作成者のニーズに、より細かく的確に応えたプログラムの作成を行うことができる。又、プログラムの使用者の誤操作を減らすこともできる。従って、利便性、操作性の高いユーザインターフェイス（表示入力装置（操作パネル１））を備えた画像形成装置（例えば、複合機１００）を提供することができる。
【０１４３】
本発明の実施形態を説明したが、本発明の範囲はこれに限定されるものではなく、発明の主旨を逸脱しない範囲で種々の変更を加えて実施することができる。
【産業上の利用可能性】
【０１４４】
本発明は、操作パネル１等の表示部と入力部を有する表示入力装置や、画像形成装置に利用可能である。
【符号の説明】
【０１４５】
１      操作パネル（表示入力装置）        １０    表示制御部
１０１  メモリ（記憶部）                  １１    液晶表示部（表示部）
１２    タッチパネル部（入力部）          ９２    記憶装置（記憶部）
１００  複合機（画像形成装置）            ＤＳ（ＤＳ１〜ＤＳ８）設定画面
【図１】
2011170182.tif 000003
【図２】
2011170182.tif 000004
【図３】
2011170182.tif 000005
【図４】
2011170182.tif 000006
【図５】
2011170182.tif 000007
【図６】
2011170182.tif 000008
【図７】
2011170182.tif 000009
【図８】
2011170182.tif 000010
【図９】
2011170182.tif 000011
【図１０】
2011170182.tif 000012
【図１１】
2011170182.tif 000013
【図１２】
2011170182.tif 000014
【図１３】
2011170182.tif 000015
【図１４】
2011170182.tif 000016
【図１５】
2011170182.tif 000017
【図１６】
2011170182.tif 000018
【図１７】
2011170182.tif 000019
【図１８】
2011170182.tif 000020
【図１９】
2011170182.tif 000021
【図２０】
2011170182.tif 000022
【図２１】
2011170182.tif 000023